(57)【要約】【目的】  従来の液体容器で、仰向けに寝たままの患者に、水やお茶などを飲ませると、過剰な液体をあたえ気管支に入り込ませ生命に危険が及ぶといった問題がしばしば発生していた。この発明が解決しようとする課題は、簡単な構造で、しかも誰が扱っても上記の危険が発生しない液体容器を提供することにある。【構成】  容器本体１の側面に注出孔３を設け、さらに前記液体容器１の所要箇所にその液体の注出に必要な空気の吸入孔６を設け、吸入孔内側端部７が、前記注出孔内側端部４の近傍に位置するよう形成したことを特徴とする。【選択図】  図１
2004167260.tif 000002
【特許請求の範囲】
【請求項１】
容器本体１とその上部に水密を保持するフタ２が取着され、容器本体１には液体の注出孔３及びその液体の注出に必要な空気の吸入孔６を備えてなる液体容器Ａにおいて前記吸入孔内側端部７が前記注出孔３の中、又は注出孔内側端部４の近傍に位置するよう前記吸入孔６を設け、該吸入孔６の吸入孔外側端部８を容器本体１の外側に通じた構造としたことを特徴とする液体容器。
【発明の詳細な説明】
【発明の詳細な説明】
【産業上の利用分野】
【０００１】  この発明は、仰向けに寝たままの姿勢で水やお茶などを飲む容器（一般的に、楽のみ容器といわれている）や醤油、ソース、或いはその他の液体を注ぐために使用され、若しくはこれらに類する液体容器（以下、単に容器ともいう）に関する。
特に前記楽のみ容器として使用するのが効果的である。
【背景技術】
【０００２】
【特許文献１】        特開平９−１０４４５９
【０００３】  従来、この種の液体容器では、通常、透明からなる容器本体の側面に、液体注出用の注出孔のほか、容器本体の上部に手着されたフタとからなり該フタに液体の注出に必要な空気の吸入穴を設けた構造のものであった。
【発明が解決しようとする課題】
【０００４】  前記、従来の液体容器にあっては、付添人や看護人が液体容器の注出口を仰向けに寝た患者の口内に挿入し水やお茶など液体を注ぐと、前記注出口が患者の口内にあるため前記付添人や看護人から前記口内に挿入した注出口が見えない。だから、液体容器を傾け液体が注出を開始しても液体の注出開始を確認することが不可能である。前記が原因で多量の液体が患者の口内に注出され、誤呑で生命に危険が及ぶといった問題がしばしば発生していた。
この発明は、従来品とあまり変わらない簡単な構造で、しかも誰が取扱っても上記の危険が発生しない安全な液体容器を提供することにある。
【課題を解決するための手段】
【０００５】  透明からなる容器本体１とその上部に水密を保持するフタ２が取着され、容器本体１には液体の注出孔３及びその液体の注出に必要な空気の吸入孔６を備えてなる液体容器Ａにおいて前記吸入孔内側端部７が前記注出孔３の中、又は注出孔内側端部４の近傍に位置するよう前記吸入孔６を設け、該吸入孔６の吸入孔外側端部８を容器本体１の外側に通じた構造
【０００６】  上記で注出孔３は、一端を注出孔内側端部４とし容器本体１の内側に通じ、他端を注出孔外側端部５とし、この注出孔外側端部５は液体注出時の液体の出口である。  前記注出孔３の形状は前記注出孔内側端部４の流路断面積を前記注出孔外側端部５の流路断面積より大きくするとよい。
さらに、容器本体１に液体の注出時に容器内に空気を吸入するための吸入孔６を設け該吸入孔６の一端を吸入孔外側端部８とし、該吸入孔外側端部８は本液体容器Ａの外側に通じ、該吸入孔６の他端は吸入孔内側端部７とし、前記注出孔内側端部４の近傍で開口するか、または図４に示すように前記注出孔３の中としてもよい。
しかし、本発明は上記の実施形態のものに限定されるものではない。図１〜３では前記吸入孔外側端部８の取り付け位置を注出孔３の上側としているが、前記注出孔３以外の場所、すなわち、容器本体１の収容可能最大液量の最高液面より上方位置箇所ならば本液体容器Ａのいずれの場所でもよい。例えば図５のように容器本体１の背面側（注出孔を形成した反対側）や測方等がある。
また注出孔３の形状を直管状やその他とし、さらに液体容器全体の形状も同じ効果が得られるもの全てが含まれるのは当然である。
さらに本発明は楽のみ容器や醤油差し、油差し、その他の液体容器としてもよいのは当然である。
【作用】
【０００７】  上記のように構成された液体容器に液体を収容し、前記吸入孔外側端部８を指などで塞いで、注出孔外側端部５をベッド上に仰向きに寝た患者等の口内に挿入し、該注出孔外側端部５が下向きになるよう傾ける。しかしこの際に於いては吸入孔外側端部８が塞がれているから吸入孔６から液体容器内に空気が入り込めない。だから前記注出孔３からの液体の注出もない。
【０００８】  次に、前記塞いだ吸入孔外側端部８を少々開く。すると、前記液没した吸入孔内側端部７から空気が気泡となって容器内に入り始める。と、同時に前記注出孔外側端部５からも少量の液の注出が始まる。
さらに、注出孔外側端部５を下向きにし、前記吸入孔外側端部８を更に開く。すると吸入孔内側端部７から液体容器Ａ内に入る気泡量がふえ、注出孔外側端部５から注出する液量も順次ふえ最大注出液量となる。
【０００９】  上記から注出孔外側端部５がブラックボックス内にあって注出孔外側端部５から注出する液体が目で確認不可能であっても、前記吸入孔外側端部８の開閉の大小と、本容器の傾き角度で液体の注出量を最小の注出量から、最大注出量まで吸入孔内側端部６に発生する気泡Ｋの量を見て注出する液量がコントロールできる。
従来製品のように液体の注出がほとんどわからず最初から多量な液の注出がない。非常に安全な液体容器である。だから過剰吸水による危険がほとんどない。
【実施例】
【００１０】  図１は、本発明の液体容器Ａが直立した状態を示す断面図である。
実施例において、１は透明からなる容器本体で、２はこの容器本体１のフタである。この容器本体１とフタ２は水密を保持し着脱可能に形成されている。【００１１】  前記容器本体１の側面には、透明からなる注出孔３が設けられ該注出孔３の一端は注出孔外側端部５となっている。該注出孔３の他端は注出孔内側端部４となっていて前記注出孔３の内側端部４寄り部位の流路断面積を、該注出孔３の外側端部５の流路断面積より大きく形成している。【００１２】  さらに、吸入孔６は内径がφ４ｍｍ程度で、この吸入孔外側端部８は前記液体容器の外側に通じ、他端は吸入孔内側端部７となっていて前記注出孔内側端部４の下側近傍位置に形成されている。吸入孔内側端部７は液体注出の際には常に液中に液没している必要から上記のように注出孔３の中又は注出孔内側端部４の近傍がもっとも良い。【００１３】  このような実施の形態においては、液体容器Ａが図２に示したように、内部に液体Ｅを収容し、吸入孔外側端部８を指などで塞いで容器本体１の注出孔外側端部５（線ＪのＢ側）が下向きになるよう傾ける。しかし吸入孔外側端部８が塞がれているから吸入孔６から外部の空気が通過できない。だから、液体容器Ａ内に空気が入り込めない。入り込め込めないから注出孔外側端部５から液体Ｅの外部へ注出もない。【００１４】  液体Ｅを注出するには図３示したようにすればよい。すなわち、注出孔３の外側端部５が下向きとなるように液体容器Ａを傾け、指などで塞いだ吸入孔外側端部８を開く。すると、気体は吸入孔６を通って吸入孔内側端部７より気泡となって液体容器Ａ内に入り込み液体Ｅは注出孔３を通って注出孔外側端部５から注出する。この際に於いて、注出孔外側端部５がブラックボックス内にあって注出する液体Ｅを肉眼で確認することが不可能であっても、吸入孔内側端部７から液Ｅ中に発生する気泡量を見ることで液体Ｅの注出開始と液量を知ることが可能である。
以後、吸入孔外側端部８の開閉具合を選ぶことで、本液体容器Ａの最大注出量まで微妙に制御することが可能である。
【発明の効果】
【００１５】  この液体容器Ａを下向きにし、塞いだ吸入孔外側端部８の開閉操作で吸入孔内側端部７から発生する気泡量を目で見て液体の注出を制御し、数滴の注出液量から、最大液体注出量まで注出する液量を微妙にコントロールする事ができる。だから、この液体容器を楽のみ容器として用いれば簡単な構造で誰が取り扱っても上記の効果が得られ過剰吸水による誤呑の危険が防止される。
さらに注水を受ける側容器が不透明で口の小さな容器（瓶状や壺状等）に注液するにも重宝である。
【図面の簡単な説明】
【図１】  本発明の実施の形態を示す中央縦断断面図。
【図２】  図１の実施の形態のもので吸入孔外側端部を塞ぎ、液体を注出する角度まで傾けた説明用断面図。
【図３】  図２のものが吸入孔外側端部を開いて液体を注出する際の説明用断面図。
【図４】  吸入孔内側端部を注出孔の中程位置に形成した説明用断面図。
【図５】  吸入孔外側端部を容器本体の背面側上部に形成した説明用断面図。
【符号の説明】
Ａ、  液体容器          １、  容器本体
２、  ふた              ３、  注出孔
４、  注出孔内側端部    ５、  注出孔外側端部
６，  吸入孔            ７、  吸入孔内側端部
８，  吸入孔外側端部
【図１】
2004167260.tif 000003
【図２】
2004167260.tif 000004
【図３】
2004167260.tif 000005
【図４】
2004167260.tif 000006
【図５】
2004167260.tif 000007